(57)【要約】【課題】液体詰め替え用パックから容器への内容物を充填する際、内容物がこぼれることを防止することができる漏斗を提供する。【解決手段】上方開口状であって、下方へしだいに水平断面積が減少する液体誘導漏斗本体部１と、本体部１の下端孔部２に連通状として設けられる容器挿入用筒部３とを備えた漏斗に於て、本体部１の任意の水平面での断面形状を略楕円形状とする。略楕円形の長軸を含んだ鉛直面で切断した縦断面形状に於て、本体部１の左右の勾配傾斜角度を相違させる。【選択図】図１
2013216372.tif 000002
【特許請求の範囲】
【請求項１】
上方開口状であって、下方へしだいに水平断面積が減少する液体誘導漏斗本体部（１）と、該本体部（１）の下端孔部（２）に連通状として設けられる容器挿入用筒部（３）とを備えた漏斗に於て、
該本体部（１）の任意の水平面での断面形状を略楕円形状としたことを特徴とする漏斗。
【請求項２】
上記略楕円形の長軸（Ｊ）を含んだ鉛直面で切断した縦断面形状に於て、上記本体部（１）の左右の勾配傾斜角度（θ１）（θ２）を相違させた請求項１記載の漏斗。
【請求項３】
上記傾斜角度（θ１）（θ２）を、20°≦θ１≦40°、かつ、50°≦θ２≦70°、かつ、85°≦（θ１＋θ２）≦95°を満たすように設定した請求項２記載の漏斗。
【請求項４】
平面視に於て、上記略楕円形の長軸（Ｊ）に沿って、上記本体部（１）に、液体詰め替え用パック（Ｐ）の糊代部（Ｘ）を逃がすための対向する２本の凹溝（４）を形成した請求項１，２又は３記載の漏斗。
【請求項５】
上記容器挿入用筒部（３）に空気を逃がすための上下方向の縦溝（５）を有する請求項１，２，３又は４記載の漏斗。
【発明の詳細な説明】
【技術分野】
【０００１】
本発明は、漏斗に関する。
【背景技術】
【０００２】
従来、リサイクル効果を得たり、無駄を省くために、洗剤、美容関係品（シャンプー、コンディショナー等）、食品等を内容物とする詰め替え用パックが、用いられている。すなわち、詰め替え用パックから、一旦使用した容器に内容物を充填して、再度、同じ容器を用いる。詰め替え用パックから容器に食器用洗剤やシャンプー、コンディショナー等の内容物を詰め替える場合、詰め替え用パックの口元を容器に直接差し込んだり、少し容器から浮かしながら、容器に充填していた。また、漏斗を用いて詰め替え用パックから容器に液体を充填していた（例えば、特許文献１参照）。
【０００３】
しかし、詰め替え用パックは、紙や薄い樹脂フィルムから成り、柔軟なので姿勢が不安定で、詰め替え充填時に内容物がこぼれやすいという欠点があった。そして、内容物を容易に容器に充填することができないという欠点があった。漏斗を用いる場合も、漏斗に対して詰め替え用パックの姿勢が不安定なので、容易に詰め替えを行なうことができないという欠点があった。
【先行技術文献】
【特許文献】
【０００４】
【特許文献１】特開２００９−２８６４１３号公報
【発明の概要】
【発明が解決しようとする課題】
【０００５】
解決しようとする課題は、詰め替え用パックから容器へ内容物を充填する際、詰め替え用パックの姿勢が不安定で、内容物がこぼれやすい点である。
【課題を解決するための手段】
【０００６】
そこで、本発明に係る漏斗は、上方開口状であって、下方へしだいに水平断面積が減少する液体誘導漏斗本体部と、本体部の下端孔部に連通状として設けられる容器挿入用筒部とを備えた漏斗に於て、本体部の任意の水平面での断面形状を略楕円形状としたものである。
【０００７】
また、略楕円形の長軸を含んだ鉛直面で切断した縦断面形状に於て、本体部の左右の勾配傾斜角度θ１，θ２を相違させたものである。
また、傾斜角度θ１，θ２を、20°≦θ１≦40°、かつ、50°≦θ２≦70°、かつ、85°≦（θ１＋θ２）≦95°を満たすように設定したものである。
また、平面視に於て、略楕円形の長軸に沿って、本体部に、液体詰め替え用パックの糊代部を逃がすための対向する２本の凹溝を形成したものである。
また、容器挿入用筒部に空気を逃がすための上下方向の縦溝を有するものである。
【発明の効果】
【０００８】
本発明の漏斗によれば、詰め替え用パックから容器へ内容物を充填する際、内容物がこぼれることを防止することができる。すなわち、容易かつ確実に内容物を容器に充填させることができる。
【図面の簡単な説明】
【０００９】
【図１】本発明の第１の実施の形態の使用状態を示す断面正面図である。
【図２】図１の要部拡大断面平面図である。
【図３】斜視図である。
【図４】平面図である。
【図５】斜視図である。
【図６】斜視図である。
【図７】正面図である。
【図８】側面図である。
【図９】底面図である。
【図１０】斜視図である。
【図１１】断面正面図である。
【図１２】断面側面図である。
【発明を実施するための形態】
【００１０】
図１・図２は、本発明の実施の一形態の使用状態を示す。この漏斗は、例えば、樹脂、金属等から成る。洗剤、美容関係品、食品等の液体（液体に準ずるものを含む。液体に準ずるものとしては、例えば、ゲルや、液体中に固体が混在するもの等がある。）を内容物Ａとする詰め替え用パックＰから、内容物Ａを容易かつ確実に容器Ｂに充填する（詰め替える）ために用いる。内容物Ａとしては、例えば、食器用洗剤、シャンプー、コンディショナー等がある。
【００１１】
図１〜図12に示すように、上方開口状であって、下方へしだいに水平断面積が減少する液体誘導漏斗本体部１と、本体部１の下端孔部２に連通状として設けられる容器挿入用筒部３とを備えた漏斗に於て、本体部１の任意の水平面での断面形状が略楕円形状である。本発明に於て、「略楕円形状」とは、楕円形、レモン型、卵型、長円型等を含む。
【００１２】
平面視に於て、略楕円形の長軸Ｊ（対称軸が１本の場合、対称軸を言う。対称軸が複数の場合、最長の対称軸を言う。）に沿って、本体部１に、液体詰め替え用パックＰの糊代部Ｘ（周囲部分をさす。融着部の場合を含む。）を逃がすための対向する２本の凹溝４が形成される。
【００１３】
略楕円形の長軸Ｊを含んだ鉛直面で切断した縦断面形状（図11参照）に於て、本体部１の鉛直軸Ｅの上方に対する左右の勾配傾斜角度θ１，θ２が相違するように設定されている。具体的には、傾斜角度θ１，θ２が、20°≦θ１≦40°、かつ、50°≦θ２≦70°、かつ、85°≦（θ１＋θ２）≦95°を満たすように設定される。
【００１４】
傾斜角度θ１，θ２が上記範囲内にある場合、詰め替え用パックＰの姿勢が安定して容易かつ確実に内容物Ａを容器Ｂに充填することができる。傾斜角度θ１，θ２が上記範囲外にある場合、詰め替え用パックＰの姿勢が不安定となり、詰め替えの際、内容物Ａがこぼれる虞れがある。そして、容易に詰め替えを行なうことができない。
【００１５】
本発明の漏斗の使用方法（作用）について説明する。図１・図２に示すように、容器Ｂの口部Ｂ０に容器挿入用筒部３を挿入する。詰め替え用パックＰの角部を切断して注ぎ口Ｐ０を形成する。詰め替え用パックＰの（外鍔状に突出した）糊代部Ｘを凹溝４内に配設して詰め替え用パックＰの姿勢を漏斗に対して安定させる。そして、内容物Ａを容器Ｂに詰め替える（充填する）。
【００１６】
そして、容器挿入用筒部３に空気を逃がすための上下方向の縦溝（切欠溝）５を有する。
【００１７】
なお、本発明は、設計変更可能であって、例えば、凹溝４の断面形状をＶ字形（いわゆるＶ溝）に形成するも良い。また、容器挿入用筒部３が複数の縦溝５を有するも良い。
【００１８】
以上のように、本発明は、上方開口状であって、下方へしだいに水平断面積が減少する液体誘導漏斗本体部１と、本体部１の下端孔部２に連通状として設けられる容器挿入用筒部３とを備えた漏斗に於て、本体部１の任意の水平面での断面形状を略楕円形状としたので、詰め替え用パックＰから容器Ｂへ内容物Ａを充填する際、内容物Ａがこぼれることを防止することができる。すなわち、容易かつ確実に内容物Ａを容器Ｂに充填させることができる。
【００１９】
また、略楕円形の長軸Ｊを含んだ鉛直面で切断した縦断面形状に於て、本体部１の左右の勾配傾斜角度θ１，θ２を相違させたので、勾配傾斜角度が大きい部分近傍に詰め替え用パックＰが支持されて、より容易かつ確実に内容物Ａを容器Ｂに充填させることができる。
また、傾斜角度θ１，θ２を、20°≦θ１≦40°、かつ、50°≦θ２≦70°、かつ、85°≦（θ１＋θ２）≦95°を満たすように設定したので、詰め替え用パックＰが適切に支持されて姿勢が安定し、容易かつ確実に内容物Ａを容器Ｂに充填させることができる。
【００２０】
また、平面視に於て、略楕円形の長軸Ｊに沿って、本体部１に、液体詰め替え用パックＰの糊代部Ｘを逃がすための対向する２本の凹溝４を形成したので、２本の凹溝４内に、外鍔状に突出した糊代部Ｘを配設して、内容物Ａを容器Ｂに充填する際、詰め替え用パックＰの姿勢が不安定になって内容物Ａがこぼれることを確実に防止することができる。すなわち、容易かつ確実に内容物Ａを容器Ｂに充填させることができる。
また、容器挿入用筒部３に容器Ｂ内の空気を逃がすための上下方向の縦溝５を有するので、内容物Ａを容器Ｂに充填する際、縦溝５から空気を逃がすことができ、スムーズに充填を行なうことができる。
【符号の説明】
【００２１】
１  液体誘導漏斗本体部
２  下端孔部
３  容器挿入用筒部
４  凹溝
５  縦溝（切欠溝）
Ｊ  長軸
Ｐ  詰め替え用パック
Ｘ  糊代部
θ１  傾斜角度
θ２  傾斜角度
【図１】
2013216372.tif 000003
【図２】
2013216372.tif 000004
【図３】
2013216372.tif 000005
【図４】
2013216372.tif 000006
【図５】
2013216372.tif 000007
【図６】
2013216372.tif 000008
【図７】
2013216372.tif 000009
【図８】
2013216372.tif 000010
【図９】
2013216372.tif 000011
【図１０】
2013216372.tif 000012
【図１１】
2013216372.tif 000013
【図１２】
2013216372.tif 000014